(57)【要約】【課題】バイアス電圧の変動を抑え、画像むらなどの形成画像の品質の低下を防ぐことが可能な画像形成装置を提供することである。【解決手段】定着ローラに備えられたヒータの近傍に備えられた、例えば、サーミスタにより、ヒータの温度を検知し、その検知される前記ヒータの温度を表わす信号から該信号の直流成分を除去し、交流成分を取り出す。次に、その取り出された交流成分とは逆位相の交流電圧を生成し、予め定められた目標電圧にその生成された逆位相の交流電圧を加えた電圧に基づいて、バイアス電圧を生成する。さらに生成されたバイアス電圧に基づく電圧を印加して、定着ローラと画像形成装置の他の構成要素とを帯電させる。【選択図】  図３
2016024435.tif 000002
【特許請求の範囲】
【請求項１】
記録媒体に画像を形成する画像形成手段と、前記画像形成手段により前記記録媒体に形成された画像を熱定着する画像形成装置であって、
交流電源からの交流電圧を印加して加熱されるヒータが備えられた第１のローラと前記第１のローラと対となって回転する第２のローラとを備え、前記第１のローラと前記第２のローラとにより前記記録媒体を挟持し、前記第１のローラと前記第２のローラとを回転させながら、前記記録媒体を加熱、搬送して、前記画像を定着する定着手段と、
前記ヒータの近傍に備えられ、前記ヒータの温度を検知する検知手段と、
前記検知手段により検知される前記ヒータの温度を表わす信号から該信号の直流成分を除去し、交流成分を取り出すフィルタ手段と、
前記フィルタ手段により取り出された交流成分とは逆位相の交流電圧を生成する第１の生成手段と、
予め定められた目標電圧に前記第１の生成手段により生成された前記逆位相の交流電圧を加えた電圧に基づいて、バイアス電圧を生成する第２の生成手段と、
前記第２の生成手段により生成されたバイアス電圧に基づく電圧を印加して、前記第１のローラと前記画像形成装置の他の構成要素とを帯電させる帯電手段とを有することを特徴とする画像形成装置。
【請求項２】
前記第１のローラの外周囲は定着フィルムにより覆われ、
前記定着フィルムが前記帯電手段により帯電されることを特徴とする請求項１に記載の画像形成装置。
【請求項３】
前記定着フィルムと前記ヒータとの間に形成される第１の浮遊容量を通じて前記交流電圧が前記バイアス電圧に重畳されることを特徴とする請求項２に記載の画像形成装置。
【請求項４】
前記検知手段は、サーミスタを含み、
前記ヒータと前記サーミスタとの間に形成される第２の浮遊容量を通じて前記交流電圧が、前記サーミスタにより検知され前記ヒータの温度を表わす信号に重畳され、
前記バイアス電圧に重畳される前記交流電圧と、前記ヒータの温度を表わす信号に重畳される前記交流電圧とは同位相であることを特徴とする請求項３に記載の画像形成装置。
【請求項５】
前記第１の生成手段は、前記フィルタ手段により取り出された交流成分とは逆位相の交流電圧を生成する反転増幅回路を含み、
前記反転増幅回路の増幅率は、前記バイアス電圧の交流成分と、前記サーミスタからの出力電圧の交流成分とを予め測定し、該測定の結果に基づいて、前記バイアス電圧の交流成分による変動分がゼロになるように決定されることを特徴とする請求項４に記載の画像形成装置。
【請求項６】
前記フィルタ手段は、前記直流成分を除去するハイパスフィルタを含むことを特徴とする請求項１乃至５のいずれか１項に記載の画像形成装置。
【請求項７】
前記第２の生成手段は、
前記目標電圧と前記逆位相の交流電圧とを加算する加算手段と、
一次側に、前記加算手段からの出力電圧に基いた電圧が印加され、二次側から前記バイアス電圧が出力されるトランスとを含むことを特徴とする請求項１乃至６のいずれか１項に記載の画像形成装置。
【請求項８】
前記他の構成要素は、前記画像形成手段に含まれる現像器、又は、該現像器を帯電させる帯電ローラを含むことを特徴とする請求項１乃至７のいずれか１項に記載の画像形成装置。
【請求項９】
前記画像形成手段は、電子写真方式に基づいて、前記記録媒体にトナー像を形成することを特徴とする請求項１乃至８のいずれか１項に記載の画像形成装置。
【請求項１０】
記録媒体に画像を形成する画像形成手段と、前記画像形成手段により前記記録媒体に形成された画像を熱定着する画像形成装置の定着方法であって、
前記画像形成装置は、交流電源からの交流電圧を印加して加熱されるヒータが備えられた第１のローラと前記第１のローラと対となって回転する第２のローラとを備え、前記第１のローラと前記第２のローラとにより前記記録媒体を挟持し、前記第１のローラと前記第２のローラとを回転させながら、前記記録媒体を加熱、搬送して、前記画像を定着する定着手段を備え、前記定着方法は、
前記ヒータの近傍に備えられた検知手段により、前記ヒータの温度を検知する検知工程と、
前記検知工程において検知される前記ヒータの温度を表わす信号から該信号の直流成分を除去し、交流成分を取り出すフィルタ工程と、
前記フィルタ工程において取り出された交流成分とは逆位相の交流電圧を生成する第１の生成工程と、
予め定められた目標電圧に前記第１の生成工程において生成された前記逆位相の交流電圧を加えた電圧に基づいて、バイアス電圧を生成する第２の生成工程と、
前記第２の生成工程において生成されたバイアス電圧に基づく電圧を印加して、前記第１のローラと前記画像形成装置の他の構成要素とを帯電させる帯電工程とを有することを特徴とする定着方法。
【発明の詳細な説明】
【技術分野】
【０００１】
本発明は画像形成装置及びその定着方法に関し、特に、電子写真方式に従って画像を形成し、熱定着によりその画像を定着する、例えば、複写機及びプリンタ等の画像形成装置及びその定着方法に関する。
【背景技術】
【０００２】
従来、電子写真方式に従う画像形成装置には、記録シートのような記録媒体に転写された形成画像を熱定着する定着部が備えられている。その定着部では、内側に発熱抵抗体（定着ヒータ）を有する定着ローラと、その定着ローラに接触する加圧ローラとで形成されるニップ部で、トナー像が転写された記録媒体を挟持して加圧しつつ加熱してそのトナー像を定着する。また、このような定着装置には、定着ローラにトナーと同極性の電圧を印加することでニップ部におけるトナーの尾引きオフセットを抑制する技術が採用されている。このような技術はオンデマンド定着方式として知られている。
【０００３】
また、電子写真方式に従う画像形成装置には、その定着部に高圧電圧を供給するために高圧電源部を備えている。従来の画像形成装置の高圧電源部は、その回路構成を簡素にし、かつ、コストダウンを実現するため、１次帯電器、転写器、現像器などの複数の高電圧を用いる機器に対して１つのトランスから高電圧を供給している。
【先行技術文献】
【特許文献】
【０００４】
【特許文献１】特開平６−３３２２９９号公報
【発明の概要】
【発明が解決しようとする課題】
【０００５】
しかしながら上記従来例では、１つのトランスから複数の高電圧を出力する技術をオンデマンド定着方式を採用した画像形成装置の定着部に適用する場合、次のような課題がある。即ち、ヒータと定着フィルムは圧接されて設けられているため、ヒータと定着フィルム表面のギャップ長に関係して浮遊容量が形成され、商用電源の交流電圧が定着部、浮遊容量、定着フィルムを通じてフィルムバイアスから一次帯電器にまわりこんでしまう。そのため、帯電バイアスに商用電源の交流電圧が重畳され、画像むらなどを生じさせてしまう。
【０００６】
本発明は上記従来例に鑑みてなされたもので、帯電バイアスの電圧変動を抑え、画像むらなどの発生を防止し、高品位な画像形成が可能な画像形成装置及びその定着方法を提供することを目的としている。
【課題を解決するための手段】
【０００７】
上記目的を達成するために本発明の画像形成装置は次のような構成からなる。
【０００８】
即ち、記録媒体に画像を形成する画像形成手段と、前記画像形成手段により前記記録媒体に形成された画像を熱定着する画像形成装置であって、交流電源からの交流電圧を印加して加熱されるヒータが備えられた第１のローラと前記第１のローラと対となって回転する第２のローラとを備え、前記第１のローラと前記第２のローラとにより前記記録媒体を挟持し、前記第１のローラと前記第２のローラとを回転させながら、前記記録媒体を加熱、搬送して、前記画像を定着する定着手段と、前記ヒータの近傍に備えられ、前記ヒータの温度を検知する検知手段と、前記検知手段により検知される前記ヒータの温度を表わす信号から該信号の直流成分を除去し、交流成分を取り出すフィルタ手段と、前記フィルタ手段により取り出された交流成分とは逆位相の交流電圧を生成する第１の生成手段と、予め定められた目標電圧に前記第１の生成手段により生成された前記逆位相の交流電圧を加えた電圧に基づいて、バイアス電圧を生成する第２の生成手段と、前記第２の生成手段により生成されたバイアス電圧に基づく電圧を印加して、前記第１のローラと前記画像形成装置の他の構成要素とを帯電させる帯電手段とを有することを特徴とする。
【０００９】
また、本発明を別の側面から見れば、記録媒体に画像を形成する画像形成手段と、前記画像形成手段により前記記録媒体に形成された画像を熱定着する画像形成装置の定着方法であって、前記画像形成装置は、交流電源からの交流電圧を印加して加熱されるヒータが備えられた第１のローラと前記第１のローラと対となって回転する第２のローラとを備え、前記第１のローラと前記第２のローラとにより前記記録媒体を挟持し、前記第１のローラと前記第２のローラとを回転させながら、前記記録媒体を加熱、搬送して、前記画像を定着する定着手段を備え、前記定着方法は、前記ヒータの近傍に備えられた検知手段により、前記ヒータの温度を検知する検知工程と、前記検知工程において検知される前記ヒータの温度を表わす信号から該信号の直流成分を除去し、交流成分を取り出すフィルタ工程と、前記フィルタ工程において取り出された交流成分とは逆位相の交流電圧を生成する第１の生成工程と、予め定められた目標電圧に前記第１の生成工程において生成された前記逆位相の交流電圧を加えた電圧に基づいて、バイアス電圧を生成する第２の生成工程と、前記第２の生成工程において生成されたバイアス電圧に基づく電圧を印加して、前記第１のローラと前記画像形成装置の他の構成要素とを帯電させる帯電工程とを有することを特徴とする定着方法を備える。
【発明の効果】
【００１０】
従って本発明によれば、交流電源の交流電圧に起因するバイアス電圧の変動を抑え、画像むらなどの形成画像の品質の低下を防ぐことができるという効果がある。
【図面の簡単な説明】
【００１１】
【図１】本発明の代表的な実施例である多機能プリンタ（ＭＦＰ）装置の構成を示す側断面図である。
【図２】図１に示すＭＦＰ装置に用いられるフィルム加熱方式の定着器の概略構成を示す側断面図である。
【図３】図１に示すＭＦＰ装置の電源回路と定着器の回路構成を示す図である。
【図４】電源回路と定着器の各部の出力電圧の波形を示す図である。
【発明を実施するための形態】
【００１２】
以下添付図面を参照して本発明の好適な実施例について、さらに具体的かつ詳細に説明する。
【００１３】
なお、この明細書において、「記録媒体」とは、一般的な記録装置で用いられる紙のみならず、広く、布、プラスチック・フィルム、金属板、ガラス、セラミックス、木材、皮革等、トナーを受容可能なものも表すものとする。
【００１４】
図１は本発明の代表的な実施例である多機能プリンタ装置（以下、ＭＦＰ装置）１００の構成を示す側断面図である。
【００１５】
ＭＦＰ装置１００は電子写真方式に従って画像形成を行うプリンタユニット（画像形成装置）１０１と画像読み取りを行うリーダユニット１０２と読取原稿の搬送を行うＡＤＦユニット１０３とで構成される。
【００１６】
プリンタユニット１０１は記録媒体Ｐを収納するカセット１１０を備え、ピックアップローラ１１１と給送ローラ１１２により記録媒体Ｐをカセット１１０から給送する。給送された記録媒体Ｐは、１枚ずつ分離するため、リタードローラ１１３により分離給送され、その後、記録媒体Ｐは搬送ローラ１１４によりさらに搬送される。その後、停止しているレジストローラ対１１５により、記録媒体Ｐの斜行補正が行われると、レジストクラッチＣＬ１（不図示）を駆動連結してレジストローラ対１１５を回転させて、画像形成部１３０へと搬送される。
【００１７】
画像形成部１３０では、感光体ドラム１３１と帯電ローラ１３２によって感光体ドラム１３１の外周面を所定の極性の電位に一様に帯電処理される。レーザスキャナ１２０は画像情報の時系列デジタル画素信号に応じて変調されたレーザ光Ｌで感光体ドラム１３１を走査することで、感光体ドラム１３１上に静電潜像が形成される。その後、現像器１４０の現像ローラ１４１によって、感光体ドラム１３１上の静電潜像がトナー像として現像される。転写ローラ１３３には感光体ドラム１３１とは逆極性の転写バイアスが印加されることで、感光体ドラム１３１上のトナー像が記録媒体Ｐ上に静電転写される。
【００１８】
定着器１５０には、内側にヒータが配置され、外周に定着フィルムが装着された加熱ローラ１０と加圧ローラ２０によってニップが形成されている。そのニップ部に記録媒体Ｐが到達すると、ヒータの発熱と圧力により記録媒体Ｐ上のトナー像が加熱溶融されて定着する。その後、排出ローラ１６０により装置外に記録媒体Ｐは排出される。
【００１９】
また、両面記録の際には定着器１５０を通過した記録媒体Ｐは排出部にて停止・反転しスイッチバックされ、反転搬送路１７０に搬送される。その際、定着器１５０に再度、記録媒体Ｐが戻らないように反転フラッパー１７１によって自重で搬送パスの切り替えが行われる。反転搬送路１７０では記録媒体Ｐは反転ローラ１７２によりレジストローラ対１１５に搬送され、再度斜行補正を行った後に、裏面への画像形成が行われる。
【００２０】
図２はフィルム加熱方式の定着器のより詳細な構成を示す側断面図である。
【００２１】
定着器１５０は加熱ローラ１０と加圧ローラ２０により構成される。加熱ローラ１０は、耐熱性のステイホルダ（支持体）１２にヒータ１１を固定し、ヒータ１１の外側に耐熱性樹脂の円筒状の薄肉のフィルム（定着フィルム）１３を配置し、弾性を有する加圧ローラ２０を定着フィルム１３を介してヒータ１１に圧接している。これにより、定着フィルム１３と加圧ローラ２０との間に所定の幅のニップ部が形成される。加圧ローラ２０は内部に弾性層２２、その外周部に離型層２３が設けられており、回転軸２１の回りに回転する。
【００２２】
定着フィルム１３は、図２に示されているように、加熱ローラ１０の外周囲を覆っており、ヒータ１１とその一部が圧接するように設置されている。ヒータ１１は、定着フィルム１３と絶縁すべくガラスコーティングされている。定着フィルム１３には、高圧電源回路（後述）からの負の高圧電圧（フィルムバイアス）が印加される。
【００２３】
ヒータ１１は通電により加熱され、そのヒータ温度をヒータ１１の背面に設置されたサーミスタ１４で検知して、ＭＦＰ装置１００のＣＰＵ（後述）にフィードバックすることにより、ヒータ１１を所定の定着温度に温度調節している。なお、ヒータ１１は、商用交流電源（後述）で駆動する発熱抵抗体と、良好な熱伝導性を有するセラミック基板と絶縁のためのガラスパターンとから構成されている。
【００２４】
記録媒体Ｐ上のトナー像を定着するにはヒータ１１を定着温度に調整し、定着フィルム１３を矢印方向に回転させ、その状態で定着フィルム１３と加圧ローラ２０とのニップ部へトナー像を担持した記録媒体Ｐをガイド１５を経て導入する。記録媒体Ｐは定着フィルム１３の面に密着し、定着フィルム１３と一緒にニップ部が挟持搬送される。記録媒体Ｐがニップ部を通過する間に、記録媒体Ｐとその上のトナー像がヒータ１１により定着フィルム１３を介して加熱されて、トナー像が記録媒体Ｐに熱定着される。ニップ部を通過した記録媒体Ｐは、定着フィルム１３の面から剥離してガイド１６を経て定着器１５０の外へと搬送される。定着器１５０の外部には搬送ローラ１７とその従動ローラ１８とが設けられ、これらのローラ対により記録媒体Ｐをさらに搬送する。
【００２５】
図３は定着器と電源回路とＡＣ電圧反転回路との構成を示す回路図である。
【００２６】
図２を参照して定着器１５０の構造を説明したが、定着器１５０は電気的にはオンデマンド定着方式を採用しヒータ１１と商用交流電源２０３、定着フィルム１３、加圧ローラ２０、サーミスタ１４、サーモスイッチ１５３から構成されている。
【００２７】
サーミスタ１４は、ヒータ１１の表面温度を検出するために、ヒータ１１の表面に接触されて設置される。サーミスタ１４の抵抗値の読取回路として、図３に示すように、抵抗１５１と直流電源１５２とが備えられる。サーミスタ１４はヒータ１１の温度によって抵抗値が変化するので、サーミスタ１４の検出温度が変化することでサーミスタ１４に印加される電圧が変化する。サーミスタ１４からの電圧はＣＰＵ２０１に入力され、ＣＰＵ２０１は、ヒータ１１の温度を読み取ることができる。
【００２８】
サーモスイッチ１５３は、ヒータ１１の安全の確保と過昇温による発火防止のため、サーミスタ１４とは別に、ヒータ１１に接触されて設置される。ヒータ１１の温度を検出し特定の温度以上を検知すると強制的にオフになる。この実施例では、一度オフになると復帰しないサーモスイッチを選定している。
【００２９】
図３からも分かるように、ヒータ１１と定着フィルム１３が接触しているため、ヒータ１１と定着フィルム１３の表面とのギャップＤ１に比例して、浮遊容量Ｃ１が存在する。そのため、トナー像の定着のためにヒータ１１に商用交流電源２０３から交流電圧Ｖacが印加されると、浮遊容量Ｃ１を介して、次の経路で交流電圧Ｖacが帯電ローラ１３２への帯電バイアスＶbiasに重畳される。即ち、図３の太線矢印のように、商用交流電源２０３→ヒータ１１→浮遊容量Ｃ１→信号線１５４→抵抗２０７→抵抗２０６→帯電ローラ１３２の経路で交流電圧Ｖacがバイアス電圧Ｖbiasに重畳される。これにより、帯電バイアスＶbiasが変動する。これは、定着器１５０の定着動作を不安定なものとする原因となり、その結果、画像むらが生じてしまう。
【００３０】
さて、電源回路２００は、ＭＦＰ装置１００の全体を制御するＣＰＵ２０１、トランス２０４、トランス駆動回路２１４、トランスの出力電圧を目標電圧に追従させるためのオペアンプ（ＯＰ）２１１、ＡＣ反転電圧印加回路４０１とを含む。トランス２０４は直流２４Ｖを巻き線比に従って数１０倍に昇圧し、トランス駆動回路２１４はトランス２０４が直流では動作しないため、発振させてトランス２０４を駆動する。電源回路２００はその他、エミッタフォロワ回路、トランス２０４の出力電圧を分圧する抵抗などを含む。
【００３１】
電源回路２００からの出力電圧は、トランス２０４の巻線比、抵抗２０５、２０６、２０７の各抵抗値と目標電圧によって決定される。そして、その出力電圧は帯電ローラ１３２に対する帯電バイアスＶbiasとして出力されるとともに、定着フィルム１３に対するフィルムバイアスとして信号線１５４を介して出力される。
【００３２】
さて、ＣＰＵ２０１から出力されるＰＷＭ信号は平滑回路２０９において直流に平滑化し目標電圧Ｖtargetとして出力される。ＣＰＵ２０１はＰＷＭ信号のデューティ比を変化させる、平滑回路２０９から出力される直流電圧の値は変化する、即ち、目標電圧Ｖtargetの大きさは変更される。
【００３３】
この実施例では、帯電バイアスＶbiasとサーミスタ１４の関係が、交流電圧値は比例関係、位相は同相関係である点に着目し、サーミスタ１４の交流電圧を検出することで、帯電バイアスＶbiasに重畳される交流電圧成分を予測する。そして、サーミスタ１４での交流電圧の検出結果に基づいて、帯電バイアスＶbiasの交流電圧成分と逆位相の交流電圧ＩＶacをＡＣ反転電圧生成回路３０１で生成し、逆位相の交流電圧ＩＶacをフィードバックする。即ち、図３に示すように、逆位相の交流電圧ＩＶacを、ＡＣ反転電圧生成回路３０１→ＡＣ反転電圧印加回路４０１→オペアンプ２１１→トランジスタ２１２→トランス２０４の一次側に印加する。このようにして、帯電バイアスＶbiasの電圧変動を抑えるのである。
【００３４】
次に、帯電バイアスＶbiasとサーミスタ１４の電圧関係を図４に示す電圧波形図を参照して説明する。
【００３５】
まず、図４の（ｉ）には商用交流電源２０３から交流電圧Ｖacが図示されている。
【００３６】
ヒータ１１と定着フィルム１３との間と同様に、ヒータ１１とサーミスタ１４のギャップ長Ｄ２に比例して、浮遊容量Ｃ２が存在する。浮遊容量Ｃ２を介して、ヒータ１１→浮遊容量Ｃ２→サーミスタ１４の経路で商用交流電源２０３から交流電圧Ｖacがサーミスタ１４に重畳されてしまう。従って、ヒータ１１への印加電圧の大きさに比例した電圧がサーミスタ１４に重畳されてしまう。このことは、図４の（ｉｉｉ）に示すサーミスタ電圧Ｖtmの時間変化にも表れている。
【００３７】
一方、帯電バイアスＶbiasとヒータ１１の電圧との関係が比例関係にあり、ヒータ１１とサーミスタ１４の電圧の関係が比例であることから、帯電バイアスＶbiasとサーミスタ電圧Ｖtmの交流成分は比例関係にある。
【００３８】
ヒータ１１とバイアス電圧Ｖbiasとサーミスタ１４は浮遊容量という１つのコンデンサで接続されていると言える。従って、図４（ｉｉ）と図４（ｉｉｉ）が示すように、バイアス電圧Ｖbiasとサーミスタ電圧の交流成分の位相とは同相関係にある。従って、上述のように、バイアス電圧Ｖbiasとサーミスタ電圧Ｖtmの交流成分の大きさが比例関係、位相が同相関係にある。
【００３９】
この点に着目して、この実施例では、サーミスタ電圧Ｖtmを検出してバイアス電圧Ｖbiasを予測し、その予測に基づいて、ＡＣ反転電圧生成回路３０１で逆位相の電圧を生成する。そして、その逆位相の電圧ＩＶacをトランス２０４の一次側にフィードバックして印加する。このようにすることで、バイアス電圧Ｖbiasに重畳される交流電圧の反転電圧がさらにバイアス電圧Ｖbiasに重畳される。その結果、図４（ｖｉｉ）に示されるように、バイアス電圧Ｖbiasの交流電圧による変動を抑制することができる。
【００４０】
次に、以上の動作を図３に示す回路構成に従って説明する。
【００４１】
ＡＣ反転電圧生成回路３０１ではサーミスタ１４から検出した電圧Ｖtmから直流成分を除去し、交流成分のみを取り出し、これを反転した交流電圧ＩＶacを生成し、これを電源回路２００にフィードバックする。そして、反転した交流電圧ＩＶacをトランス２０４の一次側に印加する。
【００４２】
ＡＣ反転電圧生成回路３０１は、コンデンサ３０４と抵抗３０５から構成されるハイパスフィルタ（ＨＰＦ）３０２と反転増幅回路３０３とから構成される。ハイパスフィルタ（ＨＰＦ）３０２は、図４（ｉｉｉ）と図４（ｉｖ）が示すようにサーミスタ電圧Ｖtmの直流電圧成分を除去し、交流電圧成分ＶHPFのみを取り出す。
【００４３】
反転増幅回路３０３は、抵抗３０６と可変抵抗３０７とオペアンプ３０８から構成されている。反転増幅回路３０３からの出力電圧は、抵抗３０６と可変抵抗３０７の大きさから決定される。反転増幅回路３０３では、図４（ｖ）に示されるようにハイパスフィルタ（ＨＰＦ）３０２からの出力電圧ＶHPFとは逆位相の電圧ＩＶacを生成する。
【００４４】
なお、その反転電圧ＩＶacは、バイアス電圧Ｖbiasの電圧変動をゼロに抑えるように、反転増幅回路３０３の可変抵抗３０７を変更して決定する。
【００４５】
つまり、反転増幅回路３０３における電圧増幅率は、以下のように決定する。
【００４６】
上述のようにバイアス電圧Ｖbiasとサーミスタ電圧Ｖtmの交流成分は比例関係にある。従って、例えば、工場出荷時にバイアス電圧Ｖbiasとサーミスタ電圧Ｖtmの交流成分の大きさを測定し、その結果に基づいてバイアス電圧Ｖbiasの交流成分変動分をゼロに抑えるように可変抵抗３０７を調整する。このようにして、反転増幅回路３０３の電圧増幅率を決定する。
【００４７】
最後に、電源回路２００に含まれるＡＣ反転電圧印加回路４０１について説明する。
【００４８】
ＡＣ反転電圧印加回路４０１は、オペアンプ（ＯＰ）４０４と抵抗４０５と抵抗４０６と抵抗４０７とから構成され、加算演算を実行できる回路である。図３に示すＡＣ反転電圧印加回路４０１において、抵抗４０５〜４０７の抵抗値を同じにすると、オペアンプ４０４の出力に、ＡＣ反転電圧生成回路３０１の出力である反転電圧ＩＶacと目標電圧Ｖtargetの和の電圧が出力される。このようにして生成された電圧（ＩＶac＋Ｖtarget）は、オペアンプ（ＯＰ）２１１に出力される。
【００４９】
オペアンプ（ＯＰ）２１１は、その生成電圧（ＩＶac＋Ｖtarget）とフィードバック電圧との和と直流電源２１５からの直流電圧との差分により出力電圧が制御される差動増幅器の構成をとる。オペアンプ（ＯＰ）２１１からの出力は、トランジスタ２１２のゲートに入力され、その電圧が閾値電圧を越えると、直流電源２１３からの電圧がトランス２０４の一次側に印加される。この印加電圧Ｖprimは図４（ｖｉ）に示されている。
【００５０】
図４（ｖ）と図４（ｖｉ）とを比較すると分かるように、トランス２０４の一次側に印加電圧Ｖprimはその交流成分が、ＡＣ反転電圧生成回路３０１の出力である反転電圧ＩＶacと同位相の電圧となっている。
【００５１】
トランス２０４の二次側には、その位相を反映した電圧が生成されることになる。ここで、上述のように、信号線１５４を介して、商用交流電源２０３から交流電圧Ｖacの位相を反映した交流成分が現れて、バイアス電圧Ｖbiasに重畳される。一方、トランス２０４の二次側には、その位相とは逆相の電圧が生成されるので、これらが接続点２１６で合成され、その結果、交流成分がキャンセルされたバイアス電圧Ｖbiasが生成されることになる。その結果は、図４（ｖｉｉ）に示す通りである。
【００５２】
従って以上説明した実施例に従えば、サーミスタに重畳される交流電圧成分を検出し、帯電バイアスに重畳される交流電圧成分を予測する。一方、サーミスタ電圧の検出結果に基づいて、帯電バイアスの交流成分とは逆位相の交流電圧を生成し、これをトランスの一次側に印加する。このようにすることで、定着フィルムに負電圧を印加するために備えられた信号を介して伝達される商用交流電源の交流成分とは逆位相の交流成分を含む電圧とが合成されて帯電バイアスが生成されることになる。
【００５３】
その結果、生成されたバイアス電圧からは交流成分がキャンセルされるので、バイアス電圧の電圧変動を抑えることができ、定着器に均一な帯電を行わせることが可能になり、良好な画像形成と定着を実現することができる。
【００５４】
なお、この実施例においては、定着器のヒータ近傍にサーミスタを設けて交流電圧を検出しているが、本発明はこれによって限定されるものではない。定着器のヒータ近傍に設置されていて、交流電圧を検出できるもの（電気的に導通しているもの）であれば、サーミスタでなくてもよく、例えば、温度ヒューズ、サーモスイッチ、定着ヒータ導電部などであってもよい。
【００５５】
また、この実施例では、トランスからの出力を帯電ローラと定着フィルムに対するものとして説明したが、本発明はこれによって限定されるものではない。他の構成要素、例えば、現像器のバイアス電圧と定着フィルムに対するバイアス電圧の出力であってもよい。
【００５６】
またさらに、以上説明した実施例では、ＭＦＰ装置を例として説明したが本発明はこれによって限定されるこのではなく、例えば、単機能のプリンタ装置にも本発明は適用可能である。
【符号の説明】
【００５７】
１０  加熱ローラ、１１  ヒータ、１３  定着フィルム、１４  サーミスタ、
２０  加圧ローラ、１００  多機能プリンタ装置（ＭＦＰ装置）、
１０１  プリンタユニット（画像形成装置）、１０２  リーダユニット、
１０３  ＡＤＦユニット、１３２  帯電ローラ、１５０  定着器、２０１  ＣＰＵ、
２０３  商用交流電源、２０４  トランス  ２１４  トランス駆動回路
３０１  ＡＣ反転電圧生成回路、４０１  ＡＣ反転電圧印加回路
【図１】
2016024435.tif 000003
【図２】
2016024435.tif 000004
【図３】
2016024435.tif 000005
【図４】
2016024435.tif 000006